(57)【要約】【課題】入賞装置内にある内部構造物と遊技球の案内経路とが奥行き方向へ重なった位置に配置されているにもかかわらず、内部構造物および案内経路を案内される遊技球の双方を、遊技者が容易に目視できる構造とされた弾球遊技機の入賞装置を提供すること。【解決手段】入賞装置１には、透明な材料で形成された窓部２１が設けられることにより、遊技者側から見て窓部２１を隔てた反対側にある内部構造物（湾曲通路２３、振り分け機構２７など）を、遊技者が窓部２１を透かして目視可能な構造となっている。しかも、窓部２１は、遊技者から見て手前側にある外窓部２１ａと、遊技者から見て奥側にある内窓部２１ｂとを有する二重窓構造になっていて、外窓部２１ａと内窓部２１ｂとの間には空隙２１ｃが形成されており、この空隙２１は遊技球が落下する落下経路１９として利用され、この落下経路１９が遊技球を案内する案内経路の一部となっている。【選択図】図３
0003147495.tif 000002
【実用新案登録請求の範囲】
【請求項１】
遊技球の通過に伴って遊技者にとって有利な遊技条件が成立する特定領域、および前記特定領域以外の通常領域が設けられるとともに、入賞口へ入った遊技球を、前記特定領域または前記通常領域のいずれかへと案内する案内経路が設けられた弾球遊技機の入賞装置であって、
透明な材料で形成された窓部が設けられることにより、遊技者側から見て前記窓部を隔てた反対側にある内部構造物を、遊技者が前記窓部を透かして目視可能な構造となっており、
しかも、前記窓部は、遊技者から見て手前側にある外窓部と、遊技者から見て奥側にある内窓部とを有する二重窓構造になっていて、前記外窓部と前記内窓部との間には空隙が形成されており、当該空隙は遊技球が落下する落下経路として利用され、当該落下経路が前記案内経路の一部となっている
ことを特徴とする弾球遊技機の入賞装置。
【請求項２】
前記外窓部と前記内窓部との間の空隙は、遊技球の落下方向に垂直な断面形状として、遊技球が１球だけ通過可能な断面形状を持つ落下可能領域と、遊技球が通過不能な断面形状を持つ落下不能領域とを有しており、
前記落下可能領域および前記落下不能領域が、遊技者側から見て左右方向に並べて配置されることにより、前記空隙全体では、前記左右方向の寸法は、遊技球の直径の２倍以上となっているものの、前記落下可能領域のみでは、前記左右方向の寸法は、遊技球が１球だけ通過可能な寸法になっている
ことを特徴とする請求項１に記載の弾球遊技機の入賞装置。
【請求項３】
前記落下不能領域は、遊技者側から見て奥行き方向の寸法が遊技球の直径未満となっている空隙をなす領域である
ことを特徴とする請求項２に記載の弾球遊技機の入賞装置。
【請求項４】
前記落下不能領域が、遊技者側から見た左右方向について、前記落下可能領域の両側に形成され、
前記落下可能領域は、遊技者側から見た左右方向について、両側にある前記落下不能領域に挟まれた位置に形成されている
ことを特徴とする請求項２または請求項３に記載の弾球遊技機の入賞装置。
【請求項５】
前記窓部を隔てた反対側にある内部構造物として、遊技球を前記特定領域または前記通常領域のいずれかに振り分ける振り分け機構が設けられ、
前記案内経路の一部として、前記落下経路の下方には、前記落下経路の下端から湾曲して、遊技者側から見て奥行き方向へと延びつつ上方向へも延びる湾曲通路が形成され、
前記落下経路を落下してきた遊技球が、慣性で前記湾曲通路を転がり上がって、前記振り分け機構に到達する構造になっている
ことを特徴とする請求項２〜請求項４に記載の弾球遊技機の入賞装置。
【請求項６】
前記湾曲通路の最下方となる箇所には、前記振り分け機構に到達できないまま前記湾曲通路の最下方へ転がり落ちてきた遊技球を、前記湾曲通路から脱落させる開口部が形成されている
ことを特徴とする請求項５に記載の弾球遊技機の入賞装置。
【考案の詳細な説明】
【技術分野】
【０００１】
本考案は、弾球遊技機の入賞装置に関する。
【背景技術】
【０００２】
従来、弾球遊技機の入賞装置としては、入賞装置の内部に複数の領域が設けられ、それらの領域の内、１つの領域が特別領域（通称、Ｖゾーンなどと呼ばれる領域）となっているものが知られている。
【０００３】
このような入賞装置においては、遊技球が特定領域に振り分けられたことをセンサで検出すると、遊技者にとって有利な遊技条件が成立したものと判定され、以後、弾球遊技機は、特別な動作（以下、大当たり動作ともいう）を行うようになる。
【０００４】
また、上記のような入賞装置において、入賞口から入賞装置内に入った遊技球は、様々な形態の案内経路へと案内され、ある程度時間をかけて、上記特定領域や特定領域以外の通常領域へと振り分けられるようになっている。
【考案の開示】
【考案が解決しようとする課題】
【０００５】
ところで、上記従来技術において、案内経路としては、様々な形態のものを考えることができ、それら様々な形態の案内経路のいくつかを組み合わせて採用することもできる。
しかし、案内経路を形成する位置によっては、案内経路を形成する部材が邪魔になって、遊技者側から見て案内経路を隔てた反対側にある内部構造物を、遊技者が目視できなくなる、という問題がある。その一方、上記のような内部構造物を案内経路の手前側に配置すると、遊技者は案内経路を通る遊技球を目視できなくなる、という問題がある。
【０００６】
さらに、これらの問題を回避する方法としては、上記のような内部構造物と案内経路を、遊技者側から見て横並びとなる位置に配置することも考えられる。
しかし、この場合は、内部構造物と案内経路は奥行き方向に重なる配置にならないため、入賞装置の内部構造は、奥行き方向への立体感がない構造となってしまい、案内経路のルートが画一的なものとなったり、面白さに欠ける形態になったりしやすくなる、という問題があった。
【０００７】
本考案は、これらの諸問題を解決するためになされたものであり、その目的は、入賞装置内にある内部構造物と遊技球の案内経路とが奥行き方向へ重なった位置に配置されているにもかかわらず、内部構造物および案内経路を案内される遊技球の双方を、遊技者が容易に目視できる構造とされた弾球遊技機の入賞装置を提供することにある。
【課題を解決するための手段】
【０００８】
以下、本考案において採用した構成について説明する。
請求項１に記載の弾球遊技機の入賞装置は、
遊技球の通過に伴って遊技者にとって有利な遊技条件が成立する特定領域、および前記特定領域以外の通常領域が設けられるとともに、入賞口へ入った遊技球を、前記特定領域または前記通常領域のいずれかへと案内する案内経路が設けられた弾球遊技機の入賞装置であって、
透明な材料で形成された窓部が設けられることにより、遊技者側から見て前記窓部を隔てた反対側にある内部構造物を、遊技者が前記窓部を透かして目視可能な構造となっており、
しかも、前記窓部は、遊技者から見て手前側にある外窓部と、遊技者から見て奥側にある内窓部とを有する二重窓構造になっていて、前記外窓部と前記内窓部との間には空隙が形成されており、当該空隙は遊技球が落下する落下経路として利用され、当該落下経路が前記案内経路の一部となっている
ことを特徴とする。
【０００９】
このような入賞装置において、落下経路を構成する窓部（外窓部および内窓部）は、双方とも透明で、遊技者側から見て窓部を隔てた反対側にある構造物を、遊技者が窓部を透かして目視することができる。
【００１０】
そのため、このような入賞装置であれば、入賞装置内にある内部構造物と遊技球の案内経路をなす窓部が、奥行き方向へ重なった位置に配置されているにもかかわらず、内部構造物および案内経路を案内される遊技球の双方を、遊技者が容易に目視できる。
【００１１】
したがって、窓部が邪魔になって内部構造物が目視できないといった問題がなく、内部構造物が邪魔になって落下経路を落下する遊技球が目視できないといった問題もない。また、内部構造物と落下経路は、遊技者側から見て奥行き方向に重なった位置に配置できるので、内部構造物と落下経路を、遊技者側から見て左右方向に横並びに設ける必要はなく、奥行き方向について、内部構造物と落下経路を、より立体的に配置できるようになる。
【００１２】
請求項２に記載の弾球遊技機の入賞装置は、請求項１に記載の弾球遊技機の入賞装置において、
前記外窓部と前記内窓部との間の空隙は、遊技球の落下方向に垂直な断面形状として、遊技球が１球だけ通過可能な断面形状を持つ落下可能領域と、遊技球が通過不能な断面形状を持つ落下不能領域とを有しており、
前記落下可能領域および前記落下不能領域が、遊技者側から見て左右方向に並べて配置されることにより、前記空隙全体では、前記左右方向の寸法は、遊技球の直径の２倍以上となっているものの、前記落下可能領域のみでは、前記左右方向の寸法は、遊技球が１球だけ通過可能な寸法になっている
ことを特徴とする。
【００１３】
このような入賞装置によれば、空隙全体に着目すると、左右方向の寸法は、遊技球の直径の２倍以上となっているので、窓部については、その背後にある内部構造物を目視する上で、十分に大きなものとすることができる。
【００１４】
しかも、落下可能領域のみに着目すると、左右方向の寸法は、遊技球が１球だけ通過可能な寸法になっている。そのため、遊技者側から見た場合、一見すると、遊技球の直径の２倍以上もある幅の広い窓部が設けられているように見えるものの、実際には、遊技球が１球だけ通過できる空隙しか存在しないことになる。
【００１５】
したがって、落下不能領域相当の位置においても遊技球が通過可能な空隙をなしているものとは異なり、遊技球が２球以上同時に通過しそうになることはないので、遊技球は常に１球ずつ順に外窓部−内窓部間の空隙を落下する状態となり、遊技球が落下経路に詰まってしまうことがない。また、落下可能領域相当の狭い経路だけを設けたものとも異なり、少なくとも遊技者側から見た目だけは、窓部を遊技球の直径の２倍以上ある幅広なものとすることができるので、この幅の広い窓部を透かして、窓部を隔てた反対側にある内部構造物を、遊技者が目視できる。
【００１６】
請求項３に記載の弾球遊技機の入賞装置は、請求項２に記載の弾球遊技機の入賞装置において、
前記落下不能領域は、遊技者側から見て奥行き方向の寸法が遊技球の直径未満となっている空隙をなす領域である
ことを特徴とする。
【００１７】
このような構成を採用すれば、遊技球が通過不能な断面形状を持つ落下不能領域を、きわめて簡単に形成することができ、落下不能領域における遊技球の通過を確実に阻止することができる。
【００１８】
請求項４に記載の弾球遊技機の入賞装置は、請求項２または請求項３に記載の弾球遊技機の入賞装置において、
前記落下不能領域が、遊技者側から見た左右方向について、前記落下可能領域の両側に形成され、
前記落下可能領域は、遊技者側から見た左右方向について、両側にある前記落下不能領域に挟まれた位置に形成されている
ことを特徴とする。
【００１９】
このような構成を採用すれば、両側にある落下不能領域に挟まれた位置に落下可能領域が形成されるので、遊技球が窓部の中央付近を落下する状態にすることができ、遊技球が窓部の隅を落下するものに比べ、遊技球が落下する様子を目視しやすくすることができる。
【００２０】
請求項５に記載の弾球遊技機の入賞装置は、請求項２〜請求項４のいずれかに記載の弾球遊技機の入賞装置において、
前記窓部を隔てた反対側にある内部構造物として、遊技球を前記特定領域または前記通常領域のいずれかに振り分ける振り分け機構が設けられ、
前記案内経路の一部として、前記落下経路の下方には、前記落下経路の下端から湾曲して、遊技者側から見て奥行き方向へと延びつつ上方向へも延びる湾曲通路が形成され、
前記落下経路を落下してきた遊技球が、慣性で前記湾曲通路を転がり上がって、前記振り分け機構に到達する構造になっている
ことを特徴とする。
【００２１】
このような構成を採用すれば、遊技球が重力に逆らって湾曲通路を転がり上がるので、局所局所では遊技球が落下する方向へ移動しがちな弾球遊技機において、遊技球が上昇するという斬新な挙動を示すものとなる。しかも、その様な挙動が、落下経路の背面側で発生するにもかかわらず、その挙動を遊技者が窓部を透かして目視することができる。
【００２２】
請求項６に記載の弾球遊技機の入賞装置は、請求項４に記載の弾球遊技機の入賞装置において、
前記湾曲通路の最下方となる箇所には、前記振り分け機構に到達できないまま前記湾曲通路の最下方へ転がり落ちてきた遊技球を、前記湾曲通路から脱落させる開口部が形成されている
ことを特徴とする。
【００２３】
このように構成すれば、遊技球が振り分け機構に到達できないまま湾曲通路の最下方へ転がり落ちてきても、遊技球が湾曲通路に詰まってしまうことはなく、湾曲通路の機能を適切に維持することができる。
【考案を実施するための最良の形態】
【００２４】
次に、本考案の実施形態について一例を挙げて説明する。
図１は、本発明の実施形態として例示する入賞装置１の正面図である。
この入賞装置１は、上部に入賞口３を備え、この入賞口３には、通過センサ５が配設されている。この通過センサ５は、金属体の通過を非接触で検出可能な素子であり、この種の入賞装置において多用されている周知のものである。また、入賞口３の下方には案内爪７が突設されていて、通過センサ５を通過した遊技球は、案内爪７に引っ掛かることにより、斜め下方へ放出されることになる。
【００２５】
また、入賞口３の下方には、クルーン１１が配設されている。クルーン１１は、遊技球の案内経路の一部を構成する部材で、図２に示すように、平面視すると円形に見える皿状の凹面１１ａを有し、その凹面１１ａの中央には穴１３が形成されている。案内爪７に引っ掛かって斜め下方へと放出された遊技球は、クルーン１１の凹面１１ａを何回か旋回し、最終的には穴１３へと転落する。
【００２６】
この穴１３へと転落した遊技球が落下する先には、図３に示すように、通過センサ１５が配設されている。この通過センサ１５は、先に説明した通過センサ５と同様、金属体の通過を非接触で検出可能な素子である。
【００２７】
通過センサ１５を通過した遊技球が落下する先には、樋状部材１７が設けられている。この樋状部材１７は、遊技球の案内経路の一部を構成する部材で、入賞装置１の内部から正面側（遊技者側）に向かって延びる形態となっていて、後端（遊技者から見て奥側）が通過センサ１５の直下にあって、後端から前端（遊技者から見て手前側）に向かって下り勾配となる傾斜が与えられている。通過センサ１５を通過して落下してきた遊技球は、樋状部材１７の後端に載り、自重で樋状部材１７上を前端側へと転がることになる。
【００２８】
遊技球が樋状部材１７の前端まで転がると、遊技球は樋状部材１７の前端から落下経路１９へと転落する。この落下経路１９は、遊技球の案内経路の一部に相当し、窓部２１を利用して構成されている。
【００２９】
より詳しく説明すると、窓部２１は、透明なプラスチック材料で形成され、遊技者側から見て窓部２１を隔てた反対側にある内部構造物（本実施形態の場合は、湾曲通路２３、振り分け機構２７など；図３参照）を、遊技者が窓部２１を透かして目視可能な構造となっている。
【００３０】
しかも、窓部２１は、遊技者から見て手前側にある外窓部２１ａと、遊技者から見て奥側にある内窓部２１ｂとを有する二重窓構造になっていて、外窓部２１ａと内窓部２１ｂとの間には空隙２１ｃが形成されており、この空隙２１ｃが上述の落下経路１９として利用されている。
【００３１】
また、外窓部２１ａと内窓部２１ｂとの間の空隙２１ｃは、遊技球の落下方向に垂直な断面形状として、図４（ａ）に示すように、遊技球が１球だけ通過可能な断面形状を持つ落下可能領域Ａ１と、遊技球が通過不能な断面形状を持つ落下不能領域Ａ２とを有している。
【００３２】
これら落下可能領域Ａ１および落下不能領域Ａ２は、遊技者側から見て左右方向に並べて配置されることにより、空隙２１ｃ全体では、左右方向の寸法Ｗ１は、遊技球の直径の２倍以上となっているものの、落下可能領域Ａ１のみでは、左右方向の寸法Ｗ２は、遊技球が１球だけ通過可能な寸法になっている。
【００３３】
また、図４（ｂ）に示すように、外窓部２１ａおよび内窓部２１ｂの空隙２１ｃ側の面には、それぞれ凹部２２が形成されている。この凹部２２を設けたことにより、落下可能領域Ａ１は、遊技者側から見て奥行き方向の寸法Ｔ１が遊技球の直径以上となっていて、落下不能領域Ａ２は、遊技者側から見て奥行き方向の寸法Ｔ２が遊技球の直径未満となっている。この凹部２２の幅Ｗ３は、遊技球Ｂの直径よりも小さいが、このような幅Ｗ３の凹部２２を設けることで、落下可能領域Ａ１の幅Ｗ２を、遊技球１球分程度に最適化することができる。
【００３４】
さらに、落下不能領域Ａ２は、遊技者側から見た左右方向について、落下可能領域Ａ１の両側に形成され、落下可能領域Ａ１は、遊技者側から見た左右方向について、両側にある落下不能領域Ａ２に挟まれた位置に形成されている。このようにすることで、落下可能領域Ａ１は、窓部２１の左右方向中央に形成されることになる。
【００３５】
以上詳述したような窓部２１によって形成された落下経路１９へ遊技球が転落すると、遊技球は、落下不能領域Ａ２へ逸脱することなく、落下可能領域Ａ１を真っ直ぐに落下して、湾曲通路２３に到達する。
【００３６】
湾曲通路２３は、遊技球の案内経路の一部に相当し、落下経路１９の下端から湾曲して、遊技者側から見て奥行き方向へと延びつつ上方向へも延びる形態になっている。落下経路１９を落下してきた遊技球が、そのまま湾曲通路２３へ突入すると、遊技球は慣性で重力に逆らって湾曲通路２３を転がり上がり、振り分け機構２７へ到達する。なお、何らかの事情で遊技球が振り分け機構２７に到達しなかった場合は、湾曲通路２３の最下方となる箇所に形成された開口部２５から遊技球が脱落する。
【００３７】
振り分け機構２７は、回転体２７ａをモータ２７ｂで回転駆動し、回転体２７ａに形成された３つの凹部に入った遊技球を、特定領域または通常領域へと振り分ける周知のものである。回転体２７ａが有する３つの凹部は、あらかじめ１つの凹部だけが他の凹部とは異なる形状になっており、この形状の違いにより、１つの凹部だけが遊技球を特定領域へ通出させ、他の凹部は遊技球を通常領域へ通出させる仕組みになっている。
【００３８】
なお、特定領域へ遊技球が振り分けられたことは、図示しない通過センサによって検出され、これに伴って遊技機は、遊技者にとって有利な遊技条件で作動することになるが、このような遊技機の仕組み自体は、この種の入賞装置を備えた遊技機において周知の事項なので、これ以上の説明は省略する。
【００３９】
以上説明したように、この弾球遊技機の入賞装置１によれば、落下経路１９を構成する窓部２１（外窓部２１ａおよび内窓部２１ｂ）は、双方とも透明で、遊技者側から見て窓部２１を隔てた反対側にある内部構造物（湾曲通路２３、振り分け機構２７など）を、遊技者が窓部２１を透かして目視することができる。
【００４０】
そのため、このような入賞装置１であれば、入賞装置１内にある内部構造物と遊技球の案内経路をなす窓部２１が、奥行き方向へ重なった位置に配置されているにもかかわらず、内部構造物および案内経路（落下経路１９）を案内される遊技球の双方を、遊技者が容易に目視できる。
【００４１】
したがって、窓部２１が邪魔になって内部構造物が目視できないといった問題がなく、内部構造物が邪魔になって落下経路１９を落下する遊技球が目視できないといった問題もない。また、内部構造物と落下経路１９は、遊技者側から見て奥行き方向に重なった位置に配置できるので、内部構造物と落下経路１９を、遊技者側から見て左右方向に横並びに設ける必要はなく、奥行き方向について、内部構造物と落下経路１９を、より立体的に配置できるようになる。
【００４２】
また、この入賞装置１によれば、窓部２１のなす空隙２１ｃ全体に着目すると、左右方向の寸法Ｗ１は、遊技球の直径の２倍以上となっているので、窓部２１については、その背後にある内部構造物を目視する上で、十分に大きなものとすることができる。しかも、落下可能領域Ａ１のみに着目すると、左右方向の寸法は、遊技球が１球だけ通過可能な寸法Ｗ２になっている。そのため、遊技者側から見た場合、一見すると、遊技球の直径の２倍以上もある幅の広い窓部２１が設けられているように見えるものの、実際には、遊技球が１球だけ通過できる空隙しか存在しないことになる。
【００４３】
したがって、落下不能領域Ａ２相当の位置においても遊技球が通過可能な空隙をなしているものとは異なり、遊技球が２球以上同時に通過しそうになることはないので、遊技球は常に１球ずつ順に外窓部２１ａ−内窓部２１ｂ間の空隙を落下する状態となり、遊技球が落下経路１９に詰まってしまうことがない。また、落下可能領域Ａ１相当の狭い経路だけを設けたものとも異なり、少なくとも遊技者側から見た目だけは、窓部２１を遊技球の直径の２倍以上ある幅広なものとすることができるので、この幅の広い窓部２１を透かして、窓部２１を隔てた反対側にある内部構造物を、遊技者が目視できる。
【００４４】
さらに、落下不能領域Ａ２は、遊技者側から見て奥行き方向の寸法Ｔ２が遊技球の直径未満となっている空隙をなす領域なので、きわめて簡単に形成することができ、落下不能領域Ａ２における遊技球の通過を確実に阻止することができる。
【００４５】
また、上記入賞装置１によれば、落下不能領域Ａ２に挟まれた位置に落下可能領域Ａ１が形成されるので、遊技球が窓部２１の中央付近を落下する状態にすることができ、遊技球が窓部２１の隅を落下するものに比べ、遊技球が落下する様子を目視しやすくすることができる。
【００４６】
さらに上記入賞装置１によれば、遊技球が重力に逆らって湾曲通路２３を転がり上がるので、局所局所では遊技球が落下する方向へ移動しがちな弾球遊技機において、遊技球が上昇するという斬新な挙動を示すものとなる。しかも、その様な挙動が、落下経路１９の背面側で発生するにもかかわらず、その挙動を遊技者が窓部２１を透かして目視することができる。
【００４７】
以上、本考案の実施形態について説明したが、本考案は上記の具体的な一実施形態に限定されず、この他にも種々の形態で実施することができる。
例えば、上記実施形態では、外窓部２１ａおよび内窓部２１ｂの空隙２１ｃ側の面に、それぞれ凹部２２を形成することで、空隙２１ｃを落下可能領域Ａ１および落下不能領域Ａ２に区分していたが、これに限らない。
【００４８】
具体的には、図５に示すように、空隙の幅が、遊技球の通過可能な幅Ｔ１から遊技球の通過不能な幅Ｔ３まで連続的に変化するような構造とすることで、凹部２２のような明確な凹凸は形成されていないものの、全体としては、凹部２２と同等に機能するような凹面が形成されている構造としてあってもよい。
【００４９】
また、上記のような落下可能領域Ａ１を設ければ、遊技球を真っ直ぐに落下させることができ、２球以上の遊技球が同時に落下しないようにすることができるが、このような仕組みが不要な場合は、落下可能領域Ａ１を設けず、窓部２１の内部全体が落下経路として機能する構造になっていてもよい。
【図面の簡単な説明】
【００５０】
【図１】本考案の実施形態として説明した弾球遊技機の入賞装置の正面図。
【図２】クルーンおよびその周辺のみを抜粋して示す平面図。
【図３】入賞装置の奥行き方向についての内部構造を示す縦断面図。
【図４】落下経路の横断面図。
【図５】変形例として例示した落下経路の横断面図。
【符号の説明】
【００５１】
１・・・入賞装置、３・・・入賞口、５，１５・・・通過センサ、７・・・案内爪、１１・・・クルーン、１１ａ・・・凹面、１３・・・穴、１７・・・樋状部材、１９・・・落下経路、２１・・・窓部、２１ａ・・・外窓部、２１ｂ・・・内窓部、２１ｃ・・・空隙、２２・・・凹部、２３・・・湾曲通路、２５・・・開口部、２７・・・振り分け機構、２７ａ・・・回転体、２７ｂ・・・モータ、Ａ１・・・落下可能領域、Ａ２・・・落下不能領域。
【図１】
0003147495.tif 000003
【図２】
0003147495.tif 000004
【図３】
0003147495.tif 000005
【図４】
0003147495.tif 000006
【図５】
0003147495.tif 000007
【手続補正書】
【提出日】平成20年10月23日(2008.10.23)
【手続補正１】
【補正対象書類名】実用新案登録請求の範囲
【補正対象項目名】請求項５
【補正方法】変更
【補正の内容】
【請求項５】
前記窓部を隔てた反対側にある内部構造物として、遊技球を前記特定領域または前記通常領域のいずれかに振り分ける振り分け機構が設けられ、
前記案内経路の一部として、前記落下経路の下方には、前記落下経路の下端から湾曲して、遊技者側から見て奥行き方向へと延びつつ上方向へも延びる湾曲通路が形成され、
前記落下経路を落下してきた遊技球が、慣性で前記湾曲通路を転がり上がって、前記振り分け機構に到達する構造になっている
ことを特徴とする請求項２〜請求項４のいずれかに記載の弾球遊技機の入賞装置。